(57)【要約】【課題】  本発明は魚釣用リールに係り、モータ出力調節体によるモータ出力状態と実際の負荷変動による巻取り速度変化の状況把握を可能として、釣果の向上を図った魚釣用リールを提供することを目的とする。【解決手段】  リール本体の側板間に回転自在に支持されたスプールと、該スプールを巻取り駆動するスプール駆動モータと、リール本体に変位操作可能に装着され、前記スプール駆動モータのモータ出力を調節するモータ出力調節体と、前記スプールに巻回される釣糸の巻取り操作時の巻取り速度を検出する巻取り速度検出手段と、リール本体に設けられ、前記巻取り速度検出手段の検出値と前記モータ出力調節体の調節量に応じたモータ出力状態を表示する表示器とを備えたことを特徴とする。【選択図】    図５
2008264006.tif 000002
【特許請求の範囲】
【請求項１】
リール本体の側板間に回転自在に支持されたスプールと、
該スプールを巻取り駆動するスプール駆動モータと、
リール本体に変位操作可能に装着され、前記スプール駆動モータのモータ出力を調節するモータ出力調節体と、
前記スプールに巻回される釣糸の巻取り操作時の巻取り速度を検出する巻取り速度検出手段と、
リール本体に設けられ、前記巻取り速度検出手段の検出値と前記モータ出力調節体の調節量に応じたモータ出力状態を表示する表示器とを備えたことを特徴とする魚釣用リール。
【発明の詳細な説明】
【技術分野】
【０００１】
本発明は魚釣用リールに係り、詳しくはスプール駆動モータのモータ出力状態と釣糸の巻取り速度を認識可能として、釣果の向上を図った魚釣用リールに関する。
【背景技術】
【０００２】
船釣り等、一般に深場の魚層を対象とした魚釣りを行う場合、魚釣用電動リール（以下、「電動リール」という）が広く使用されている。
【０００３】
従来周知のようにこの電動リールは、スプール駆動モータ（以下、「スプールモータ」という）の駆動でスプールを回転させて釣糸の巻取りを行うもので、今日では、スプールモータによる釣糸の巻取り操作に加え、リール本体に装着したハンドルの操作で釣糸の巻取りを可能とした手動併用型の電動リールが一般的である。
【０００４】
そして、従来、この種の電動リールには、正確な棚取りを行って釣果の向上を図るため、スプール等の回転数を基に釣糸の繰出し量や巻取り量を計測する糸長計測装置が装着されており、リール本体に設けた表示器に、斯かる糸長計測装置の計測値が表示されるようになっている。
【０００５】
更に、従来、この種の電動リールには、特許文献１に開示されるように糸長計測装置の計測値を基に釣糸の繰出し速度を算出して、この繰出し速度を表示器に表示させたり、特許文献２に開示されるようにスプールモータのモータ出力を連続的に調節するモータ出力調節体をリール本体に変位操作可能に装着し、該モータ出力調節体によるモータ出力状態を表示器に表示させる電動リールが知られており、引用文献１の電動リールによれば、釣糸の繰出し速度を監視することでバックラッシュを防止することができ、特許文献２の電動リールによれば、釣場の状況に応じた微妙なスプールモータのモータ出力の調節が可能となる。
【特許文献１】特開昭５８−１５２４３１号公報
【特許文献２】特開２０００−２３６０３号公報
【発明の開示】
【発明が解決しようとする課題】
【０００６】
しかし、実釣時は、魚の大きさや種類，数，引き具合、また、潮流や波の速度等の影響で釣糸に掛かる負荷は変動する。
【０００７】
そして、斯様に負荷が変動すると、スプールモータのモータ出力が同じであっても釣糸の巻取り速度が変化し、設定巻取り速度に対して実際の巻取り速度が異なることとなるが、特許文献１，２の電動リールを始め、従来の電動リールは実際の釣糸の巻取り速度を把握することができないため、実情に適したモータ出力調節（変速操作）が行えず、見切れ，口切れして魚をバラシてしまう虞があった。
【０００８】
本発明は斯かる実情に鑑み案出されたもので、モータ出力調節体によるモータ出力状態と実際の負荷変動による巻取り速度変化の状況把握を可能として、釣果の向上を図った魚釣用リールを提供することを目的とする。
【課題を解決するための手段】
【０００９】
斯かる目的を達成するため、請求項１に係る魚釣用リールは、リール本体の側板間に回転自在に支持されたスプールと、該スプールを巻取り駆動するスプールモータと、リール本体に変位操作可能に装着され、前記スプールモータのモータ出力を調節するモータ出力調節体と、前記スプールに巻回される釣糸の巻取り操作時の巻取り速度を検出する巻取り速度検出手段と、リール本体に設けられ、前記巻取り速度検出手段の検出値と前記モータ出力調節体の調節量に応じたモータ出力状態を表示する表示器とを備えたことを特徴とする。
【発明の効果】
【００１０】
請求項１に係る発明によれば、実釣時の状況変化によって異なる巻取り速度を釣人は表示器を通して認識できるため、状況に即した巻取り速度の調節が可能となり、見切れ，口切れし易い魚をバラさずに取り込むことができる。
【００１１】
また、巻取り速度と共に、モータ出力調節体の調節量に応じたモータ出力状態が表示器に表示されるので、モータ出力調節体の調節位置と実際の巻取り速度の変化状態を確認することが可能となって、実際の負荷変動による巻取り速度変化の状況が把握でき、この結果、実釣時の負荷に適したモータ出力の増減調節やドラグ調節等の対応を効果的に行える利点を有する。
【発明を実施するための最良の形態】
【００１２】
以下、本発明の実施形態を図面に基づいて詳細に説明する。
【００１３】
図１乃至図８は請求項１に係る発明を手動併用型の電動リールに適用した一実施形態を示し、図１に於て、１はリール本体３のフレーム、５，７は該フレーム１の左右に取り付く側板で、両側板５，７間にスプール軸が支持部に支持され、該スプール軸にスプール９が回転可能に支持されている。
【００１４】
スプール９は、スプールモータ（図２中、符号１１）の駆動やハンドル１３の巻取り操作で回転して釣糸が巻回されるようになっており、スプールモータ１１はスプール９前方のフレーム１に一体成形されたモータケース内に収納されている。
【００１５】
そして、ハンドル側の側板７の上部前方には、特許文献２で開示された電動リールと同様、スプールモータ１１のモータ出力を調節するレバー形状のモータ出力調節体（以下、「パワーレバー」という）１５がハンドル１３と同方向へ回転操作可能に取り付けられており、該パワーレバー１５の操作で、制御ボックス１７内に装着したマイクロコンピュータが、モータ駆動回路を介してスプールモータ１１のモータ出力をモータ停止状態から高出力値まで増減制御して、スプール９の巻取り速度を調節するようになっている。
【００１６】
また、図１に示すようにスプール９後方の側板５，７間には、側板７内に装着したクラッチ機構を操作するクラッチレバー１９が下方向へ押圧操作可能に取り付けられており、該クラッチレバー１９の押圧操作で、クラッチ機構がクラッチＯＮからクラッチＯＦＦに切り換わるようになっている。
【００１７】
そして、このクラッチＯＦＦ状態でハンドル１３を巻取り方向へ回転させると、図示しない周知の復帰機構を介してクラッチ機構がクラッチＯＮに復帰するように構成されており、このクラッチ機構のクラッチＯＮ／ＯＦＦの切換えでスプール９が釣糸巻取り状態と釣糸繰出し状態（スプールフリー状態）とに切り換わって、スプール９へのスプールモータ１１やハンドル１３の動力が伝達／遮断されるようになっている。
【００１８】
一方、図１中、２１はスプール９の回転数とその回転方向を検出する回転検出手段で、回転検出手段２１は、フレーム１に装着された一対のリードスイッチ２３と、これに対向してスプール９の一端側周縁部に固着された複数のマグネット２５とで構成されており、リードスイッチ２３はマイクロコンピュータのＣＰＵに接続されている。
【００１９】
而して、ＣＰＵは、後述する「糸長計測表示モード」と「巻取り速度表示モード」に於て、特開平５−１０３５６７号公報で開示された魚釣用リールの糸長計測プログラムと同様、リードスイッチ２３から出力されるスプール９の正転，逆転の判定信号を取り込んで釣糸の繰出しか巻取りかを判定すると共に、リードスイッチ２３から取り込むスプール９の回転パルス信号をカウントして、この計数値を基にマイクロコンピュータのＲＯＭに記憶された糸長計算式を演算実行するようになっている。
【００２０】
そして、ＣＰＵは、表示駆動回路を介してその演算結果（糸長計測値）を制御ボックス１７の操作パネル２７上に設けた表示器２９に表示させるが、表示器２９はドットマトリックス方式のカラーＴＦＴ液晶ディスプレイやセグメント方式の液晶ディスプレイで構成されている。
【００２１】
図３は「糸長計測表示モード」に於ける表示器２９の一表示形態を示し、表示器２９中央の上カラ表示部３１と棚カラ表示部３３に、夫々、水面からの仕掛けの水深と棚からの仕掛けの距離が上下２段に並列して表示されるようになっている。
【００２２】
ここで棚位置の設定について説明すると、既述したようにＣＰＵは、リードスイッチ２３からの回転パルス信号を基に糸長計測値を計測して上カラ表示部３１に表示させるが、図１に示すように表示器２９に隣接してハンドル側の操作パネル２７上にリセットスイッチ３５と棚メモスイッチ３７が上下に装着されると共に、反ハンドル側の操作パネル２７上に、モードスイッチ（表示切換えスイッチ）３９と巻取り速度設定スイッチ４１が表示器２９に隣接して上下に装着されており、これらはマイクロコンピュータに接続されている。
【００２３】
そして、実釣の開始時に、釣糸が竿先から水面まで繰り出された処で釣人がリセットスイッチ３５を操作すると、上カラ表示部３１の表示値が「０．０」にリセットされるようになっている。
【００２４】
この後、釣人が釣糸を繰り出していくと、ＣＰＵで演算，計測された糸長計測値が上カラ表示部３１に表示され、そして、釣糸が例えば９５．５ｍ繰り出された処で釣人が棚メモスイッチ３７を操作すると、棚カラ表示部３３に「０．０」が表示されて棚位置が設定され、以後、図３に示すように棚位置から例えば１５ｍの釣糸の巻取りに伴う仕掛けの距離と水面からの繰出し量（水深）が、夫々、棚カラ表示部３１と上カラ表示部３３に表示されるようになっている。
【００２５】
また、図３に示すように表示器２９内の右側上部には、パワーレバー１５によるレバー出力表示部４３が設けられている。
【００２６】
即ち、既述したように本実施形態に係る電動リール４４は、微妙な釣糸の巻取り操作を可能とするため、パワーレバー１５の前後方向の回転操作でモータ出力を増減制御してスプール９の巻取り速度を調節するようになっており、パワーレバー１５の前後方向の回転操作でモータ出力がモータ停止状態から高出力値までデューティ制御される。
【００２７】
そして、モータ出力は、モータ停止状態から高出力値までの範囲で一例として２５段階に区画されており、パワーレバー１５によるモータ出力の調節量（パワーレバー１５の操作量）に応じ、レバー出力表示部４３に「０」，「１」，「２」・・・，「２４」と順次数字によってモータ出力の調節量が表示され、そして、モータ出力が調節範囲の最大の高出力値になると、図３に示すようにレバー出力表示部４３に「ＨＩ」の文字が表示されるようになっている。
【００２８】
従って、釣人は斯かる表示を基に、パワーレバー１５による現在のモータ出力状況を認識することが可能となる。
【００２９】
更に、図２に示すようにリール全体の保持性を向上させるため、電動リール４４には、下方へ突出する突出部４５が反ハンドル側の側板５の下部に設けられている。
【００３０】
そして、突出部４５の底部に、給電コード４７を接続するレセプタクル（給電接続部）４９が装着されており、該レセプタクル４９に給電コード４７のコネクタ５１を接続して、給電コード４７の鰐口クリップ５３，５５を図示しないバッテリ（外部電源）に接続すると、スプールモータ１１が駆動可能になると共に、マイクロコンピュータのＣＰＵは、この初期通電状態で「糸長計測表示モード」になるように設定されている。
【００３１】
尚、図２中、５７はコネクタ５１の外周に刻設したねじ部に相対回転可能、且つ長手方向に移動可能に螺合する周知の締付具で、該締付具５７がレセプタクル４９の外周に設けられたねじ部に螺合して、レセプタクル４９に接続したコネクタ５１の脱落防止を図っている。
【００３２】
次に、「巻取り速度表示モード」について説明すると、既述したようにＣＰＵは、初期通電状態で「糸長計測表示モード」に設定されるが、図４に示すようにＣＰＵは、操作パネル２７上に装着したモードスイッチ３９の操作で「糸長計測表示モード」と「巻取り速度表示モード」とに交互に切り換わるようになっている。
【００３３】
そして、既述したようにＣＰＵは、両モードに於て、リードスイッチ２３から取り込むスプール９の回転パルス信号を基に糸長計測を行うが、ＣＰＵは更に、計測した糸長計測値とマイクロコンピュータに内蔵したタイマの計時値を基に、釣糸の単位時間当たりの巻取り量から巻取り速度を算出するようになっている。
【００３４】
図５は「巻取り速度表示モード」に於ける表示器２９の表示形態の一例を示し、モードスイッチ３９の操作による「糸長計測表示モード」と「巻取り速度表示モード」との切換えに伴い、表示器２９は図３の糸長計測表示形態と図５の巻取り速度表示形態に切り換わる。
【００３５】
而して、図５の「巻取り速度表示モード」に於て、ＣＰＵは、表示駆動回路を介して表示器２９の中央を釣糸の巻取り速度表示部５９として、該巻取り速度表示部５９に、算出した釣糸の毎秒当たりの巻取り速度（ｍ／ｓｅｃ）を表示させると共に、前記レバー出力表示部４３にモータ出力の調節量を表示させ、更に表示器２９内の左側上部を糸長計測表示部６１として、該糸長計測表示部６１に、水面からの仕掛けの水深と棚からの仕掛けの距離を上下２段に並列して小さく表示させるようになっている。
【００３６】
尚、巻取り速度表示部５９の表示方法としては、図５の表示方法に代えて、図６に示すように毎分当たりの巻取り速度（ｍ／ｍｉｎ）を表示させてもよいし、また、操作パネル２７上に図示しない表示切換えスイッチを別途設けて、この表示切換えスイッチの操作で図５の表示方法と図６の表示方法とに交互に切換え可能としてもよい。
【００３７】
また、図１に示すように操作パネル２７上には巻取り速度設定スイッチ４１が設けられているが、この巻取り速度設定スイッチ４１は、図５及び図６の如き巻取り速度の実測値に代え、釣糸の巻取り速度を指数表示させるもので、釣人が「糸長計測表示モード」または「巻取り速度表示モード」に於て、例えばパワーレバー１５の操作で３ｍ／ｓｅｃの巻取り速度で釣糸を巻き取っている際に釣人が巻取り速度設定スイッチ４１を操作すると、図７に示すようにその時の巻取り速度、即ち、３ｍ／ｓｅｃの巻取り速度を、釣人は巻取り速度の高速値として認識する指数「１００」として任意に設定されるようになっている。
【００３８】
従って、以後、ＣＰＵは算出した巻取り速度の実測値から指数を求めるもので、図７に示すように指数「１００」に対し、１．５ｍ／ｓｅｃの巻取り速度は指数「５０」となり、また、図示しないが４．５ｍ／ｓｅｃの巻取り速度は指数「１５０」となり、巻取り速度の増減によって指数は増減する。
【００３９】
そして、斯様に指数が設定されると、「糸長計測表示モード」では図５の表示形態が維持されるが、モードスイッチ３９の操作で「巻取り速度表示モード」に切り換わると、或いは「巻取り速度表示モード」に於て斯様に指数が設定されると、図８に示すようにＣＰＵは、レバー出力表示部４３と糸長計測表示部６１の表示に加え、表示器２９の中央を釣糸の巻取り速度指数表示部６３として、該巻取り速度指数表示部６３に、以後、指数「１００」に対する実測値の指数を表示させると共に、表示器２９の右側に設けたバー表示部６５に、指数「１００」に対する実測値の指数をバー表示させるようになっている。
【００４０】
また、上述の如く任意に指数を設定した後、新たに巻取り速度設定スイッチ４１を操作すると、新たな指数が更新されて設定，表示されるようになっているが、図８の表示形態で例えば巻取り速度設定スイッチ４１とリセットスイッチ３５を同時に操作すると、図８の表示形態が解除されて、図５に示す実測値の表示形態に移行するようになっている。
【００４１】
本実施形態はこのように構成されているから、給電コード４７を介して電動リール４４をバッテリに接続すると、マイクロコンピュータのＣＰＵはこの初期通電状態で「糸長計測表示モード」となって、以後、実釣時の釣糸の繰出しやハンドル１３，パワーレバー１５の操作による釣糸の巻取りに伴い、繰出し量や巻取り量が計測されて図３の如く糸長計測値が表示器２９の上カラ表示部３１と棚カラ表示部３３に表示され、また、レバー出力表示部４３にモータ出力の調節量が順次表示され、モータ出力が調節範囲の最大値になると、図３に示すようにレバー出力表示部４３に「ＨＩ」の文字が表示される。
【００４２】
勿論、ハンドル１３の操作で釣糸の巻取りを行う場合はモータ停止状態にあるから、レバー出力表示部４３の表示は「０」となる。
【００４３】
また、この「糸長計測表示モード」に於て、ＣＰＵは糸長計測値とタイマの計時値を基に、釣糸の単位時間当たりの巻取り量からその巻取り速度を算出する。
【００４４】
尚、既述したように糸長計測値と釣糸の巻取り速度の計測，算出は、「巻取り速度表示モード」に於ても行われる。
【００４５】
そして、図４に示すようにＣＰＵは、モードスイッチ３９の操作で「糸長計測表示モード」と「巻取り速度表示モード」とに交互に切り換わる。
【００４６】
而して、「巻取り速度表示モード」に切り換わると、図５に示すようにＣＰＵは、表示器２９の中央を釣糸の巻取り速度表示部５９として、該巻取り速度表示部５９に、算出した釣糸の毎秒当たりの巻取り速度（ｍ／ｓｅｃ）を表示させると共に、レバー出力表示部４３にモータ出力の調節量を表示させ、更に表示器２９内の糸長計測表示部６１に、水面からの仕掛けの水深と棚からの仕掛けの距離を上下２段に並列して小さく表示させる。
【００４７】
また、釣人が「糸長計測表示モード」または「巻取り速度表示モード」に於て、例えばパワーレバー１５の操作で３ｍ／ｓｅｃの巻取り速度で釣糸を巻き取っている際に釣人が巻取り速度設定スイッチ４１を操作すると、図７に示すようにその時の巻取り速度、即ち、３ｍ／ｓｅｃの巻取り速度が指数「１００」として任意に設定され、以後、ＣＰＵは算出した巻取り速度の実測値から指数「１００」に対する指数を求める。
【００４８】
そして、斯様に指数が設定されると、「糸長計測表示モード」では図５の表示形態が維持されるが、モードスイッチ３９の操作で「巻取り速度表示モード」に切り換わると、或いは「巻取り速度表示モード」に於て斯様に指数が設定されると、図８に示すようにＣＰＵは、レバー出力表示部４３と糸長計測表示部６１の表示に加え、表示器２９の中央を釣糸の巻取り速度指数表示部６３として、該巻取り速度指数表示部６３に、以後、指数「１００」に対する実測値の指数を表示させると共に、表示器２９の右側に設けたバー表示部６５に、指数「１００」に対する実測値の指数をバー表示させる。
【００４９】
また、上述の如く任意に指数を設定した後、新たに巻取り速度設定スイッチ４１を操作すると、新たな指数が更新されて設定，表示され、更に図８の表示形態で巻取り速度設定スイッチ４１とリセットスイッチ３５を同時に操作すると、図８の表示形態が解除されて、図５に示す実測値の表示形態に移行する。
【００５０】
このように本実施形態は、「巻取り速度表示モード」に於て、実釣時の状況変化によって異なる巻取り速度を検出して表示器２９に表示させるように構成したので、釣人は表示器２９を通して実釣時に即した巻取り速度の調節が可能となり、見切れ，口切れし易い魚をバラさずに取り込むことができることとなった。
【００５１】
また、本実施形態によれば、「巻取り速度表示モード」に於て、巻取り速度と共に、パワーレバー１５の調節量に応じたモータ出力状態が表示器２９に表示されるので、パワーレバー１５の調節位置と実際の巻取り速度の変化状態を確認することが可能となって、実際の負荷変動による巻取り速度変化の状況が把握でき、この結果、実釣時の負荷に適したモータ出力の増減調節やドラグ調節等の対応を効果的に行える利点を有する。
【００５２】
尚、前記実施形態では、「巻取り速度表示モード」で釣糸の巻取り速度を表示器２９に表示させるように構成したが、斯かる「巻取り速度表示モード」を設けず、「糸長計測表示モード」に於て、糸長計測値やモータ出力状態と共に巻取り速度を表示器２９に常時表示させたり、スイッチ操作で巻取り速度を表示器２９に表示可能としてもよく、デジタル，アナログ表示のどちらでもよい。
【００５３】
また、前記実施形態では、指数表示の指数「１００」を任意に設定可能としたが、予め工場出荷段階で、到底し得る最大巻取り速度を設定してこの最大巻取り速度に対する指数を「１００」に設定しておいてもよく、この場合、実釣時に釣人は、最大巻取り速度の指数「１００」に対する実際の巻取り速度の状況を認識できることとなる。
【００５４】
而して、これらの実施形態によっても、既述した図１の実施形態と同様、所期の目的を達成することが可能である。
【図面の簡単な説明】
【００５５】
【図１】請求項の一実施形態に係る電動リールの平面図である。
【図２】図１に示す電動リールの側面図である。
【図３】「糸長計測表示モード」に於ける表示器の表示形態の説明図である。
【図４】マイクロコンピュータのモードの切換え状態の説明図である。
【図５】「巻取り速度表示モード」に於ける表示器の表示形態の説明図である。
【図６】「巻取り速度表示モード」に於ける表示器の他の表示形態の説明図である。
【図７】釣糸の巻取り速度と表示器に表示する指数との関係を示す説明図である。
【図８】「巻取り速度表示モード」に於ける表示器の他の表示形態の説明図である。
【符号の説明】
【００５６】
３  リール本体
５，７  側板
９  スプール
１１  スプールモータ
１３  ハンドル
１５  パワーレバー
１７  制御ボックス
１９  クラッチレバー
２１  回転検出手段
２３  リードスイッチ
２７  操作パネル
２９  表示器
３１  上カラ表示部
３３  棚カラ表示部
３５  リセットスイッチ
３７  棚メモスイッチ
３９  モードスイッチ
４１  巻取り速度設定スイッチ
４３  レバー出力表示部
４４  電動リール
５９  巻取り速度表示部
６１  糸長計測表示部
６３  巻取り速度指数表示部
６５  バー表示部
【図１】
2008264006.tif 000003
【図２】
2008264006.tif 000004
【図３】
2008264006.tif 000005
【図４】
2008264006.tif 000006
【図５】
2008264006.tif 000007
【図６】
2008264006.tif 000008
【図７】
2008264006.tif 000009
【図８】
2008264006.tif 000010